(57)【要約】【課題】電子書籍等のオリジナルの文書のレイアウトを変えることなく、かつ視点位置を固定したまま文書を読むことができるようにする。【解決手段】複数の行数及び文字数の文書を同時に表示可能な所定の表示画面内で、該文書を行方向にスクロールさせて表示させる文書表示方法において、所定の表示画面内の複数行の文章の行末と複数行の文章の行頭とを連続させてエンドレスで自動スクロールさせるとともに、複数行の文章の行末と複数行の文章の行頭とを互いに１行分ずらして連続させる。これにより、オリジナルの文書のレイアウトを変えることなく、かつ視点位置を固定したまま長い文章を読むことができるようにする。【選択図】  図３
2012048555.tif 000002
【特許請求の範囲】
【請求項１】
複数の行数及び文字数の文書を同時に表示可能な所定の表示画面内で、該文書を行方向にスクロールさせて表示させる文書表示方法において、
前記所定の表示画面内の複数行の文章の行末と複数行の文章の行頭とを連続させてエンドレスで自動スクロールさせるとともに、前記複数行の文章の行末と複数行の文章の行頭とを互いに１行分ずらして連続させるようにしたことを特徴とする文書表示方法。
【請求項２】
前記表示画面の画面中心部の文字を強調するように表示することを特徴とする請求項１に記載の文書表示方法。
【請求項３】
前記表示画面の画面中心部の文字を、その周辺部の文字に比べて明るく表示するようにしたことを特徴とする請求項２に記載の文書表示方法。
【請求項４】
前記表示画面の画面中心部の文字を、その周辺部の文字に比べて拡大表示するようにしたことを特徴とする請求項２に記載の文書表示方法。
【請求項５】
改行により行末まで文字がない空白エリアが前記表示画面の画面中心にくる場合には、自動スクロールのスピードを上げ、又は前記空白エリアと飛ばして次に行頭の文字が画面中心にくるように移動させることを特徴とする請求項１から４のいずれかに記載の文書表示方法。
【請求項６】
前記自動スクロールされる文章は、オリジナルの文書から切り出された文章であることを特徴とする請求項１から５のいずれかに記載の文書表示方法。
【請求項７】
前記オリジナルの文書は、テキストデータのみのデータ、画像データのみのデータ、又は画像データとテキストデータとが混在したデータであることを特徴とする請求項６に記載の文書表示方法。
【請求項８】
前記複数行の文章の行末と複数行の文章の行頭との境界及びページの境界を視認可能に表示することを特徴とする請求項１から７のいずれかに記載の文書表示方法。
【請求項９】
オリジナルの１ないし複数ページの文書を取得する情報入力手段と、
前記オリジナルの文書から切り出された複数の行数及び文字数の文書を同時に表示可能な所定の表示画面を有する表示手段と、
前記所定の表示画面内において複数行の文章を行方向に自動スクロールさせることにより前記オリジナルの文書の一部を前記表示画面に表示させる表示制御手段と、を備え、
前記表示制御手段は、
前記所定の表示画面内の複数行の文章の行末と複数行の文章の行頭とを連続させてエンドレスで自動スクロールさせるとともに、前記複数行の文章の行末と複数行の文章の行頭とを互いに１行分ずらして連続させるように表示させることを特徴とする文書表示装置。
【請求項１０】
前記表示制御手段は、前記表示画面の画面中心の文字を強調するように表示させることを特徴とする請求項９に記載の文書表示装置。
【請求項１１】
前記表示制御手段は、前記表示画面の画面中心部の文字を、その周辺部の文字に比べて明るく表示するようにしたことを特徴とする請求項９に記載の文書表示装置。
【請求項１２】
前記表示制御手段は、前記表示画面の画面中心部の文字を、その周辺部の文字に比べて拡大表示するようにしたことを特徴とする請求項９に記載の文書表示装置。
【請求項１３】
前記表示制御手段は、改行により行末まで文字がない空白エリアが前記表示画面の画面中心にくる場合には、自動スクロールのスピードを上げ、又は前記空白エリアと飛ばして次に行頭の文字が画面中心にくるように移動させることを特徴とする請求項９から１２のいずれかに記載の文書表示装置。
【請求項１４】
前記オリジナルの文書は、テキストデータのみのデータ、画像データのみのデータ、又は画像データとテキストデータとが混在したデータであることを特徴とする請求項９から１３のいずれかに記載の文書表示装置。
【請求項１５】
前記表示制御手段は、前記複数行の文章の行末と複数行の文章の行頭との境界及びページの境界を視認可能に表示することを特徴とする請求項９から１４のいずれかに記載の文書表示装置。
【請求項１６】
オリジナルの１ないし複数ページの文書を取得する情報入力機能と、
前記オリジナルの文書から切り出された複数の行数及び文字数の文書を同時に表示可能な所定の表示画面を有する表示手段に、前記複数の行数及び文字数の文書を表示させる表示制御機能であって、前記所定の表示画面内において複数行の文章を行方向に自動スクロールさせることにより前記オリジナルの文書の一部を前記表示画面に表示させる表示制御機能と、
をコンピュータに実現させる文書表示プログラムであって、
前記表示制御機能は、
前記所定の表示画面内の複数行の文章の行末と複数行の文章の行頭とを連続させてエンドレスで自動スクロールさせるとともに、前記複数行の文章の行末と複数行の文章の行頭とを互いに１行分ずらして連続させるように表示させることを特徴とする文書表示プログラム。
【発明の詳細な説明】
【技術分野】
【０００１】
本発明は文書表示方法、文書表示装置及び文書表示プログラムに係り、特に文章をスクロール表示させる技術に関する。
【背景技術】
【０００２】
従来、１行の複数文字を表示させる表示手段上で、その表示部で表示可能な文字数よりも長い文章を表示させる場合、文字をスクロール表示させる表示装置はよく知られている。
【０００３】
これに対し、１行だけの文章をスクロール表示するのに比べて文章を理解しながら読みやすくするために、複数行でスクロール表示させる携帯形電子読書装置が提案されている（特許文献１）。この携帯形電子読書装置は、複数行の表示部に各行間で連続する文字列を表示させるとともに、各行の文字列が連続的に流れるようにスクロール表示させるようにしている。
【０００４】
また、大きな文書画像の一部を携帯情報端末等の限られた画面スペースに表示する際に、横スクロールと縦スクロールを行なう二次元的な操作は容易ではないという課題を解決するために、一方向のみスクロールさせるスクロール制御装置が提案されている（特許文献２）。
【０００５】
この特許文献２に記載の発明は、表示装置の画面サイズよりも大きな文書画像を表示させる場合において、画面に行末が含まれ、さらに次文字の表示指示がされたときは、次行の行頭を表示させ、かつ１行分繰り下がった画面に表示をジャンプさせ、これにより一方向のみのスクロール操作を可能にしている（特許文献２の請求項６）。
【先行技術文献】
【特許文献】
【０００６】
【特許文献１】特開平７−６１７７号公報
【特許文献２】特開２００５−９２５６７号公報
【発明の概要】
【発明が解決しようとする課題】
【０００７】
特許文献１に記載の発明は、長い文章を複数行にわたって表示させる際に、表示部に表示できる文字数に合わせて改行するようにしており、オリジナルの大きな文書画像を編集せずに、その一部を切り出して表示させるものではなく、また、オリジナルの文書に文字だけでなく画像や図形等が含まれている場合には、画像や図形等をスクロールさせながら表示させることはできない。
【０００８】
一方、引用文献２に記載の発明は、大きな文書画像の一部をスクロールさせながら表示させるため、文字だけでなく画像や図形等の表示も可能であるが、一方向のスクロール表示が文書画像の後端に達し（即ち、表示画面に行末が含まれ）、更に次文字の表示指示がされると、文書画像の先端に戻して次行の行頭を表示させ、かつ１行分繰り下がった画面に表示をジャンプさせるため、文章を読む場合に行末から行頭に視線を移動させなければならないという問題があり、また、不連続な画面遷移があるため、スクロールの速度を一定にすることはできず、自動スクロールには不向きである。
【０００９】
本発明はこのような事情に鑑みてなされたもので、電子書籍等のオリジナルの文書のレイアウトを変えることなく、かつ視点位置を固定したまま文書を読むことができる文書表示方法、文書表示装置及び文書表示プログラムを提供することを目的とする。
【課題を解決するための手段】
【００１０】
前記目的を達成するために請求項１に係る発明は、複数の行数及び文字数の文書を同時に表示可能な所定の表示画面内で、該文書を行方向にスクロールさせて表示させる文書表示方法において、前記所定の表示画面内の複数行の文章の行末と複数行の文章の行頭とを連続させてエンドレスで自動スクロールさせるとともに、前記複数行の文章の行末と複数行の文章の行頭とを互いに１行分ずらして連続させるようにしたことを特徴としている。
【００１１】
これにより、オリジナルの文書のレイアウトを変えることなく、かつ視点位置を固定したまま長い文章を読むことができるとともに、１行だけの文章をスクロール表示するものに比べて読みやすく、画像や図形等が含まれている文書にも対応することができる。
【００１２】
請求項２に示すように請求項１に記載の文書表示方法において、前記表示画面の画面中心部の文字を強調するように表示することを特徴としている。これにより、注視点が定まり、視点を固定させることができる。
【００１３】
請求項３に示すように請求項２に記載の文書表示方法において、前記表示画面の画面中心部の文字を、その周辺部の文字に比べて明るく表示するようにしたことを特徴としている。
【００１４】
請求項４に示すように請求項２に記載の文書表示方法において、前記表示画面の画面中心部の文字を、その周辺部の文字に比べて拡大表示するようにしたことを特徴としている。
【００１５】
請求項５に示すように請求項１から４のいずれかに記載の文書表示方法において、改行により行末まで文字がない空白エリアが前記表示画面の画面中心にくる場合には、自動スクロールのスピードを上げ、又は前記空白エリアと飛ばして次に行頭の文字が画面中心にくるように移動させることを特徴としている。
【００１６】
請求項６に示すように請求項１から５のいずれかに記載の文書表示方法において、前記自動スクロールされる文章は、オリジナルの文書から切り出された文章であることを特徴としている。
【００１７】
請求項７に示すように請求項６に記載の文書表示方法において、前記オリジナルの文書は、テキストデータのみのデータ、画像データのみのデータ、又は画像データとテキストデータとが混在したデータであることを特徴としている。
【００１８】
請求項８に示すように請求項１から７のいずれかに記載の文書表示方法において、前記複数行の文章の行末と複数行の文章の行頭との境界及びページの境界を視認可能に表示することを特徴としている。これにより、行末の文字と次の行の行頭の文字との繋がり、ページ間の繋がりが分かりやすく、また、ページ内のどの位置を読んでいるかも把握することが可能になる。
【００１９】
請求項９に係る文書表示装置は、オリジナルの１ないし複数ページの文書を取得する情報入力手段と、前記オリジナルの文書から切り出された複数の行数及び文字数の文書を同時に表示可能な所定の表示画面を有する表示手段と、前記所定の表示画面内において複数行の文章を行方向に自動スクロールさせることにより前記オリジナルの文書の一部を前記表示画面に表示させる表示制御手段と、を備え、前記表示制御手段は、前記所定の表示画面内の複数行の文章の行末と複数行の文章の行頭とを連続させてエンドレスで自動スクロールさせるとともに、前記複数行の文章の行末と複数行の文章の行頭とを互いに１行分ずらして連続させるように表示させることを特徴としている。
【００２０】
請求項１０に示すように請求項９に記載の文書表示装置において、前記表示制御手段は、前記表示画面の画面中心の文字を強調するように表示させることを特徴としている。
【００２１】
請求項１１に示すように請求項９に記載の文書表示装置において、前記表示制御手段は、前記表示画面の画面中心部の文字を、その周辺部の文字に比べて明るく表示するようにしたことを特徴としている。
【００２２】
請求項１２に示すように請求項９に記載の文書表示装置において、前記表示制御手段は、前記表示画面の画面中心部の文字を、その周辺部の文字に比べて拡大表示するようにしたことを特徴としている。
【００２３】
請求項１３に示すように請求項９から１２のいずれかに記載の文書表示装置において、前記表示制御手段は、改行により行末まで文字がない空白エリアが前記表示画面の画面中心にくる場合には、自動スクロールのスピードを上げ、又は前記空白エリアと飛ばして次に行頭の文字が画面中心にくるように移動させることを特徴としている。
【００２４】
請求項１４に示すように請求項９から１３のいずれかに記載の文書表示装置において、前記オリジナルの文書は、テキストデータのみのデータ、画像データのみのデータ、又は画像データとテキストデータとが混在したデータであることを特徴としている。
【００２５】
請求項１５に示すように請求項９から１４のいずれかに記載の文書表示装置において、前記表示制御手段は、前記複数行の文章の行末と複数行の文章の行頭との境界及びページの境界を視認可能に表示することを特徴としている。
【００２６】
請求項１６に係る発明は、オリジナルの１ないし複数ページの文書を取得する情報入力機能と、前記オリジナルの文書から切り出された複数の行数及び文字数の文書を同時に表示可能な所定の表示画面を有する表示手段に、前記複数の行数及び文字数の文書を表示させる表示制御機能であって、前記所定の表示画面内において複数行の文章を行方向に自動スクロールさせることにより前記オリジナルの文書の一部を前記表示画面に表示させる表示制御機能と、をコンピュータに実現させる文書表示プログラムであって、前記表示制御機能は、前記所定の表示画面内の複数行の文章の行末と複数行の文章の行頭とを連続させてエンドレスで自動スクロールさせるとともに、前記複数行の文章の行末と複数行の文章の行頭とを互いに１行分ずらして連続させるように表示させることを特徴としている。
【発明の効果】
【００２７】
本発明によれば、所定の表示画面内の複数行の文章の行末と複数行の文章の行頭とを連続させてエンドレスで自動スクロールさせるとともに、複数行の文章の行末と複数行の文章の行頭とを互いに１行分ずらして連続させるようにしたため、電子書籍等のオリジナルの文書のレイアウトを変えることなく、かつ視点位置を固定したまま文書を読むことができる。
【図面の簡単な説明】
【００２８】
【図１】本発明に係る文書表示装置の実施形態を示すブロック図
【図２】本発明に係る文書表示方法を示す概念図
【図３】本発明に係る文書表示方法を平面的に示した概念図
【図４】文書表示装置による文書表示動作を示すフローチャート
【図５】表示部の表示画面の実施形態を示す図
【図６】表示部の表示画面の他の実施形態を示す図
【図７】文章中に改行がある場合の表示方法を説明するために用いた図
【図８】文書表示装置を含む文書表示システムを示す図
【発明を実施するための形態】
【００２９】
以下、添付図面に従って本発明に係る文書表示方法及び装置の実施の形態について説明する。
【００３０】
＜文書表示装置の構成＞
図１は本発明に係る文書表示装置の実施形態を示すブロック図であり、本実施形態では携帯電話１０に関して示している。
【００３１】
図１に示すように携帯電話１０は、主として通信部１１、処理部１２、表示部１３、入力部１４、表示制御部１５、ＲＯＭ１６及びキャッシュメモリ１７から構成されている。尚、通常の携帯電話として機能するためのマイクやスピーカ等も設けられているが、図１では省略されている。通信部１１は、基地局を介して無線通信することにより、他の携帯電話やインターネット上のサーバと通信を行う。
【００３２】
処理部１２は、入力部１４から入力される操作信号に基づき所定の制御プログラムに従って携帯電話１０の全体を統括制御する部分で、ＣＰＵなどが考えられる。
【００３３】
表示部１３は、カラー液晶表示器で構成されており、各種設定操作を行なう際のユーザインターフェースとして利用されるとともに、文字や画像、図形等を含む文書情報（文書画像）を表示する表示器として利用される。
【００３４】
入力部１４は、テンキー、マルチファンクションの十字キー、実行キー、キャンセルキー、あるいはタッチパネル等で構成されている。
【００３５】
表示制御部１５は、表示部１３に表示させる表示情報を生成する部分である。尚、この表示制御部１５の詳細については後述する。
【００３６】
ＲＯＭ１６には、携帯電話１０を動作させるための制御プログラム、及び本発明に係る文書表示プログラム等が記憶されており、前記処理部１２及び表示制御部１５は、制御プログラムや文書表示プログラムに従って所要の演算を行う。尚、ＲＯＭ１６は、例えばフラッシュＲＯＭで構成することができる。
【００３７】
キャッシュメモリ１７は、処理部１２や表示制御部１５による演算作業領域、及び携帯電話１０の表示部１３に表示する文書情報の一時記憶領域として利用され、例えば、揮発性メモリにより構成されている。
【００３８】
＜文書表示の概要＞
図２は本発明に係る文書表示方法を示す概念図である。
【００３９】
図２に示すように２ページ分の文書Ｐ１、Ｐ２をそれぞれ円筒状に丸めて上下に連結し、これを一定の速度で、矢印Ａ方向に回転させる。ここで、図２上の斜線で示したエリアは、文字列のエリアを示しており、この例の文書Ｐ１，Ｐ２は横書きの文書である。また、文書Ｐ１，Ｐ２の各行の文章の行末と行頭とは、互いに１行分ずれて連続するようになっている。即ち、文書Ｐ１のある行Ｌｎの行末は、次の行Ｌｎ＋１の行頭と連続するようになっている。
【００４０】
図２において、枠線１３Ａは、携帯電話１０の表示部１３の表示画面を示している。上記円筒状に丸めた文書Ｐ１、Ｐ２を一定の速度で回転させることにより、文書を行方向に移動（横スクロール）させながら表示することができる。
【００４１】
図３は上記の文書表示方法を平面的に示した概念図である。図３からも分かるように、１行分の文書のスクロールが行われる毎に、表示部１３の表示画面に表示される複数行の文書は１行分ずれる。
【００４２】
これにより、エンドレスで自動スクロールさせることにより、文書全体を読み進めることができ、また、視点位置を固定化することができる。
【００４３】
［文書表示方法の実施形態］
次に、図１に示した携帯電話１０（文書表示装置）による文書表示動作について、図４に示すフローチャートにしたがって説明する。
【００４４】
事前にユーザは、携帯電話１０により電子書籍を提供するサーバにアクセスし、所望の電子書籍をダウンロードし、ダウンロードした電子書籍をフラッシュＲＯＭ１６に保存させる。この実施形態では、電子書籍は、１ページが１画像により構成されたビットマップ等の文書画像とする。
【００４５】
次に、ユーザはフラッシュＲＯＭ１６に保存した電子書籍を読むための文書表示プログラムを起動させることにより文書表示を開始させる。
【００４６】
図４において、まず、表示制御部１５は、フラッシュＲＯＭ１６に保存させた電子書籍の最初の２ページ分の文書情報（文書画像）を読み出し、これをキャッシュメモリ１７に一時記憶させる（ステップＳ１０）。２ページ分の文書画像を取得するのは、２ページに跨がった文書画像を表示可能にするためである。
【００４７】
尚、表示制御部１５は、読み出した文書画像の１ページの行数、行間隔等の情報を取得する。行数、行間隔等の情報は、光学的文字読取機能（ＯＣＲ機能）を使用して文書画像を読み取ることにより取得することができる。また、行数、行間隔等の情報が電子書籍の付属情報として付加されている場合には、その付属情報から取得することができる。
【００４８】
次に、表示制御部１５は、キャッシュメモリ１７に一時記憶させた文書画像から、表示部１３の表示画面に対応する領域（図２、図３に示した枠線１３Ａ内の領域）を切り出す（ステップＳ１２）。ここで、切り出す領域は、表示部１３の画面サイズ、表示させる文字の大きさにより決定する。表示させる文字の大きさは、デフォルトで設定された大きさを使用するようにしてもよいし、ユーザが適宜設定した大きさを使用するようにしてもよい。また、最初の切り出し範囲は、最初のページの第１行目の行頭が表示部１３の中央に位置するように決定する。
【００４９】
表示制御部１５は、上記のようにして切り出した文書画像を表示部１３に表示させる（ステップＳ１４）。
【００５０】
続いて、表示制御部１５は、文書表示の終了が指示されたか否かを判別し（ステップＳ１６）、文書表示の終了が指示されると(「Yes」の場合)、本文書表示の処理を終了させる。このとき、電子書籍の何ページまでが表示されたか、又は何ページの何行目まで表示されたかの情報をフラッシュＲＯＭ１６に保存させ、次回、同じ電子書籍を読む場合には、前回の続きから表示できるようにする。
【００５１】
文書表示の終了が指示されていない場合(「No」の場合)、表示制御部１５は、１ページ分の文書画像の表示が終了したか否かを判別する（ステップＳ１８）。１ページ分の文書画像の表示が終了していない場合(「No」の場合)には、ステップＳ２０の処理に遷移し、１ページ分の文書画像の表示が終了した場合(「Yes」の場合)には、ステップＳ２２に遷移した後、ステップＳ２０に遷移する。
【００５２】
ステップＳ２０では、文書画像の切り出し範囲を変更させる。即ち、図３に示すように枠線１３Ａで示す切り出し範囲を、図３上で右方向に１ドット分移動させる。また、前述したように切り出し範囲が、行末から行頭にわたる場合には、行頭側の切り出し範囲は、１行の行間隔だけずれた範囲とする。
【００５３】
上記のようにして切り出し範囲が変更されると、ステップＳ１２に戻り、前記変更された切り出し範囲の文書画像を切り出す。
【００５４】
そして、ステップＳ１２からステップＳ２０の処理を繰り返すことにより、１ドットずつ切り出し範囲が変更された文書画像が表示され、これにより文書画像が１ドットずつ移動（スクロール）することになる。
【００５５】
スクロール速度は、ステップＳ１２からステップＳ２０の処理時間により設定することができる。例えば、単位時間当たりに読む文字数を設定することにより、表示部１３の表示画面の１ドットの間隔、表示される文書画像上の文字間隔（文字間のドット数）からスクロール速度を設定することができる。このスクロール速度は、携帯電話１０の機種毎にデフォルトで設定されたものを用いてもよいし、入力部１４でスクロール速度を設定し、その設定されたものを用いてもよい。
【００５６】
一方、ステップＳ２２では、１ページ分の文書画像の表示が終了した場合に次ページの文書画像の取得を行う。即ち、１ページ分の文書画像の表示が終了すると、そのページの文書画像をキャッシュメモリ１７から消去し、現在表示されているページの次のページの文書画像をフラッシュＲＯＭ１６から読み出してキャッシュメモリ１７に書き込む。
【００５７】
＜文書表示の他の実施形態＞
次に、携帯電話１０の表示部１３に表示させる文書表示の実施形態について説明する。
【００５８】
図５及び図６はそれぞれ表示部１３の表示画面の実施形態を示す図である。これらの図面に示すように、表示部１３の表示画面の画面中心の文字を強調するように表示させるようにしている。
【００５９】
即ち、図５に示す例では、画面中心部とその周辺部とで明るさを変え、画面中心部にスポットライトが当たっているように表示させる。これによりユーザの視点を画面中心部に誘導するようにしている。
【００６０】
また、図６に示す例では、画面中心部の文字をその周辺部の文字に比べて拡大して表示するようにしている。尚、図６に示す例では、１文字だけ拡大するようにしたが、複数の文字を拡大したり、画面中心部の１行全体を拡大するようにしてもよい。これによりユーザの視点を画面中心部に誘導し、視点位置を固定化させることができる。
【００６１】
図７は文書中に改行がある場合の表示方法を示す図である。
【００６２】
図７に示すように文書中に改行がある場合に、その改行箇所が画面中心部に達すると、その改行箇所から行末の位置まで空白エリアが生じる。この場合、空白エリアの自動スクロールのスピードを上げ、又は空白エリアを飛ばすようにスクロールさせる。
【００６３】
図７の左側の枠線１３Ａで示す切り出し範囲は、改行箇所が画面中心部に達したときを示し、図７の右側の枠線１３Ａで示す切り出し範囲は、改行のある行の次の行の行頭が画面中心部に達したときを示している。この場合、図７の右側の枠線１３Ａで示す切り出し範囲から右側の枠線１３Ａで示す切り出し範囲までの期間、自動スクロールのスピードを上げ、又はこの期間（空白エリア）を飛ばして次に行頭の文字が画面中心にくるようにスクロールさせる。
【００６４】
＜文書表示装置を含む文書表示システム＞
図８は携帯電話１０’（文書表示装置）を含む文書表示システムを示す図である。尚、図１と共通する部分には同一の符号を付し、その詳細な説明は省略する。
【００６５】
図８に示す文書表示システムは、主として携帯電話１０’と、処理サーバ２０、外部サーバ（電子書籍サイト）３０とから構成され、携帯電話１０と処理サーバ２０とは、図示しない基地局、携帯電話ネットワーク、携帯キャリア及びインターネットを介して相互に通信できるようになっている。
【００６６】
携帯電話１０’は、図１に示した携帯電話１０とほぼ同様に構成されているため、その詳細な説明は省略する。
【００６７】
処理サーバ２０は、電子書籍サイトを携帯電話１０で閲覧できるようにするための中継サーバであり、主として通信部２１、処理部２２、画像変換部２３、データベース（ＤＢ）２４、及び携帯機種判断部２５等から構成されている。
【００６８】
通信部２１は、携帯電話１０の通信部１１、及び外部サーバ３０の通信部３１との間で情報のやり取りなどの通信を行うための手段である。
【００６９】
処理部２２は、サーバ上で動作する情報配信などのプログラムが動作する部分で、サーバ２０の全体を統括制御するＣＰＵなどが考えられる。
【００７０】
画像変換部２３は、携帯電話１０からの電子書籍の閲覧要求に応じて、通信部２１を介して外部サーバ３０から取得した、電子書籍を含む様々なフォーマットのコンテンツを、各種の携帯電話で閲覧可能な画像（例えば、ビットマップ形式の画像）に変換する部分である。
【００７１】
ＤＢ２４は、ユーザが閲覧している電子書籍の閲覧状況や、過去に利用した電子書籍の利用状況を記録管理する。
【００７２】
携帯機種判断部２５は、通信している携帯電話から受信する情報に基づいて本システムを利用する携帯電話の機種を判断する部分で、ここで判断される携帯機種の情報は、携帯電話の機能（例えば、表示画面サイズ、通信速度、キャッシュメモリの容量等）に応じたサービスを行うために使用される。
【００７３】
図１に示した携帯電話１０は、外部のサーバ等から電子書籍をダウンロードし、フラッシュＲＯＭ１６に記憶させるようにしたが、本システムの携帯電話１０’は、主として画面表示に必要な最小限の文書画像をその都度、処理サーバ２０から受信する点で相違する。
【００７４】
即ち、図４に示したステップＳ１０の文書情報の取得処理では、所望の電子書籍の閲覧要求を処理サーバ２０に要求すると、処理サーバ２０で画像化された電子書籍の最初の２ページ分の文書画像を取得し、これをキャッシュメモリ１７に一時保存する。図４に示したステップＳ２２の次ページの文書情報の取得処理では、１ページ分の表示が終了した時点で携帯電話１０’から次ページの文書画像の取得を要求し、その要求したページの文書画像を処理サーバ２０から取得してキャッシュメモリ１７に保存する。
【００７５】
前述した文書表示方法を含む他の処理は、携帯電話１０と同様に行われる。本システムの場合、電子書籍の情報は、閲覧後に携帯電話１０’に残らないようにすることができる。
【００７６】
［その他］
この実施形態では、電子書籍の一部をそのまま切り出して表示するため、文末と文頭との境界及びページの境界をその余白部分により視認できるが、上記境界に境界線を表示させるようにしてもよい。また、現在表示しているページ番号、画面中心の行番号等を表示部の隅部に表示するようにしてもよい。これによれば、電子書籍のどの部分が表示されているかを把握することができる。
【００７７】
また、この実施形態では、オリジナルの文書が画像化された電子書籍の場合について説明したが、本発明は電子書籍に限らず、種々の文書を表示させることができ、更にオリジナルの文書が画像データのみに限らず、テキストデータだけのもの、テキストデータと画像又は図形等が混在したものにも適用できる。
【００７８】
本発明に係る画像表示装置は、携帯電話に限らず、スマートフォン、ＰＨＳ、携帯情報端末（ＰＤＡ）等の他の端末にも適用できる。
【００７９】
更に、本発明はオリジナルの文書が横書きの場合に限らず、縦書きの場合にも適用でき、この場合には縦スクロールさせることになる。
【００８０】
また、本発明は上述した実施形態に限定されず、本発明の精神を逸脱しない範囲で種々の変形が可能であることは言うまでもない。
【符号の説明】
【００８１】
１０、１０’…携帯電話、１１、２１、３１…通信部、１２、２２…処理部、１４…入力部、１５…表示制御部、１６…ＲＯＭ、１７…キャッシュメモリ、２０…処理サーバ、２３…画像変換部、２４…データベース、２６…携帯機種判断部、３０…外部サーバ
【図１】
2012048555.tif 000003
【図２】
2012048555.tif 000004
【図３】
2012048555.tif 000005
【図４】
2012048555.tif 000006
【図５】
2012048555.tif 000007
【図６】
2012048555.tif 000008
【図７】
2012048555.tif 000009
【図８】
2012048555.tif 000010